【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
複数の行および列に配列された複数のコンテナスポットを含むエリア内で稼動するように構成された少なくとも2つのコンテナ取り扱い機器(CHEs)のための通信アレンジメントであって、前記少なくとも2つのCHEsの各々のための通信アレンジメントが、
前記エリア内のそれぞれのCHEによって実行される複数のジョブをターミナルオペレーティングシステムから取り出すように構成された第1の通信モジュールであって、前記ジョブが、コンテナを移動させ、前記複数のコンテナスポットのうちのコンテナスポットを特定するための命令を含み、前記それぞれのCHEが、前記少なくとも2つのCHEsのうちの第1のCHEである、第1の通信モジュールと、
少なくとも、前記エリア内で稼動する前記少なくとも2つのCHEsのうちの別の第2のCHEと通信するように構成された第2の通信モジュールであって、前記第2のCHEとの前記通信が、前記第1の通信モジュールからの受信および/または手動のトリガから独立しており、前記少なくとも2つのCHEsのうちの前記第2のCHEにジョブ共有メッセージを送信するように構成され、前記ジョブ共有メッセージが、前記少なくとも2つCHEsのうちの前記第2のCHEによって実行されるジョブを示し、該ジョブが、前記複数のジョブのうちのジョブである、第2の通信モジュールと
を含み、
前記第2の通信モジュールは、前記少なくとも2つのCHEsのうちの前記第2のCHEから取り出されたジョブを共有することを要求するメッセージに応答して前記ジョブ共有メッセージを送信するよう構成される、通信アレンジメント。
【請求項２】
前記第1の通信モジュールが、第1の通信プロトコルによって前記ターミナルオペレーティングシステムと通信するように構成され、前記第2の通信モジュールが、前記第1の通信プロトコルとは異なる第2の通信プロトコルによって前記少なくとも2つのCHEsのうちの前記第2のCHEと通信するように構成される、請求項1に記載の通信アレンジメント。
【請求項３】
前記第2の通信モジュールが、前記エリア内の前記第1のCHEの位置を示すメッセージを前記少なくとも2つのCHEsのうちの前記第2のCHEに送信するように構成される、請求項1または2に記載の通信アレンジメント。
【請求項４】
前記第2の通信モジュールが、
前記少なくとも2つのCHEsのうちの前記第2のCHEに、メッセージ内で指定された特定のタスクを実行するための、または前記第1のCHEによって与えられた特定の情報に肯定応答するための前記少なくとも2つのCHEsのうちの前記第2のCHEへの要求を示す前記メッセージを送信することと、
前記少なくとも2つのCHEsのうちの前記第2のCHEからのメッセージの受信の肯定応答を前記少なくとも2つのCHEsの前記第2のCHEに送信することと
のうちの少なくとも一方を行うように構成される、請求項1から3のいずれか一項に記載の通信アレンジメント。
【請求項５】
前記第2の通信モジュールが、前記位置を示す前記メッセージを前記少なくとも2つのCHEsのうちの前記第2のCHEに送信する前に、後続の通信に関して前記少なくとも2つのCHEsのうちの前記第2のCHEへの要求をブロードキャストするように構成される、請求項1から4のいずれか一項に記載の通信アレンジメント。
【請求項６】
前記第2の通信モジュールが、前記複数のジョブのうちの次のジョブを実行するときに占有される前記エリアまたは前記エリアのセクション内の少なくとも1つの位置の評価に基づいて前記要求をブロードキャストするように構成される、請求項4に記載の通信アレンジメント。
【請求項７】
前記位置が、
前記第1のCHEが前記エリアに入ろうとしているかまたは入った位置、
前記第1のCHEが行を通過している間の前記第1のCHEの現在位置、
前記少なくとも2つのCHEsのうちの前記第1のCHEが現在働いている定められたエリア内の位置、および
時間の特定の期間の間占有されない位置
のうちの1つを含む、請求項1から6のいずれか一項に記載の通信アレンジメント。
【請求項８】
前記第2の通信モジュールが、前記少なくとも2つのCHEsのうちの前記第1のCHEおよび前記第2のCHEによって使用されるコンテナスポットを通り抜けるかまたは前記コンテナスポットを占有する確率を下げる選択基準に基づいて前記ジョブを選択するように構成される、請求項1から7のいずれか一項に記載の通信アレンジメント。
【請求項９】
前記第2の通信モジュールが、前記少なくとも2つのCHEsのうちの前記第2のCHEの位置に基づいて前記ジョブを選択するように構成される、請求項1から8のいずれか一項に記載の通信アレンジメント。
【請求項１０】
前記第2の通信モジュールが、前記少なくとも2つのCHEsのうちの前記第2のCHEとの通信の失敗に応じて所定の位置への前記少なくとも2つのCHEsのうちの前記第1のCHEの移動を開始するように構成される、請求項1から9のいずれか一項に記載の通信アレンジメント。
【請求項１１】
前記第2の通信モジュールが、前記ジョブ共有メッセージの成功した受信の肯定応答および前記ジョブ共有メッセージの成功した完了の肯定応答のうちの少なくとも一方を送信するように構成される、請求項1から10のいずれか一項に記載の通信アレンジメント。
【請求項１２】
前記第1の通信モジュールが、前記ジョブ共有メッセージに含まれる前記ジョブの成功した実行を示すメッセージを前記ターミナルオペレーティングシステムに送信するように構成される、請求項1から11のいずれか一項に記載の通信アレンジメント。
【請求項１３】
それぞれが請求項1から12のいずれか一項に記載の通信アレンジメントを含み、定められたエリア内で稼動するように構成された少なくとも2つのコンテナ取り扱い機器(CHEs）と、
前記少なくとも2つのCHEsのうちの前記第1のCHEに第1の複数のジョブを送信し、前記少なくとも2つのCHEsのうちの前記第2のCHEに第2の複数のジョブを送信するように構成されたターミナルオペレーティングシステムと
を含む通信システム。
【請求項１４】
複数の行および列に配列された複数のコンテナスポットを含む定められたエリア内で稼動する少なくとも2つのコンテナ取り扱い機器(CHEs)の間で通信する方法であって、
前記少なくとも2つのCHEsのうちの第1のCHEにより、ターミナルオペレーティングシステムからメッセージを受信するステップであって、前記メッセージが、前記エリア内の前記第1のCHEによって実行される複数のジョブを含み、前記複数のジョブが、コンテナを移動させるための命令を含み、前記複数のコンテナスポットのうちのコンテナスポットを特定する、ステップと、
前記第1のCHEにより、前記定められたエリア内の前記少なくとも2つのCHEsのうちの第2のCHEから前記複数のジョブのうちのジョブを共有するための要求メッセージを受信するステップと、
前記第1のCHEにより、ジョブを共有するための前記要求メッセージに応答して前記第2のCHEにジョブ共有メッセージを送信するステップであって、前記第1のCHEが、前記少なくとも2つのCHEsのうちのいずれか1つであり、前記ジョブ共有メッセージが、前記第2のCHEによって実行されるジョブを含み、該ジョブが、前記少なくとも2つのCHEsのうちの前記第1のCHEによって実行される前記複数のジョブのうちのジョブである、ステップと
を含む方法。
【請求項１５】
前記CHEおよび少なくとも1つのその他のCHEのうちの1つによって使用されるコンテナスポットを通り抜けるかまたは占有する確率を下げる前記ジョブを前記複数のジョブから選択するステップ
をさらに含む、請求項14に記載の方法。